(57)【要約】【課題】内壁部を反転させるために好適な樹脂のブレンドおよび形状をとることにより、反転が良好に行なわれ、しわ・白化等の発生がない二重壁容器を提供する。【解決手段】二重壁容器４は、ブロー成形により一体に形成された内壁部２を外壁部１の内側に反転させて形成する。外壁部１および内壁部２は、引張弾性率が４０００Ｋｇ／ｃｍ２以上の硬質のポリオレフィン系樹脂に密度が０．９４０ｇ／ｃｍ３未満の軟質のポリオレフィン系樹脂を２〜５０ｗｔ％添加した樹脂をブロー成形することにより形成する。【選択図】　　　　図２
2004123146.tif 000002
【特許請求の範囲】
【請求項１】
ブロー成形により一体に形成された内壁部を外壁部の内側に反転させることにより得られる二重壁容器であって、一端に開口部を有し、他端に胴部と一体に連なった底部を有しており、胴部および底部は外壁部と内壁部からなっていて外壁部と内壁部との間には中空部を有し、外壁部の底部には中空部と連通する連通口が形成されており、引張弾性率が４０００Ｋｇ／ｃｍ２以上の硬質のポリオレフィン系樹脂に密度が０．９４０ｇ／ｃｍ３未満の軟質のポリオレフィン系樹脂を２〜５０ｗｔ％添加した樹脂をブロー成形することにより形成したことを特徴とすることを特徴とする二重壁容器。
【請求項２】
硬質のポリオレフィン系樹脂が高密度ポリエチレン、ポリプロピレン、プロピレンブロック共重合体からなる群より選ばれる少なくとも一種の熱可塑性樹脂であり、軟質のポリオレフィン系樹脂が低密度ポリエチレン、直鎖状低密度ポリエチレン、超低密度ポリエチレン、直鎖状超低密度ポリエチレン、ポリオレフィン系エラストマーからなる群より選ばれる少なくとも一種の熱可塑性樹脂であることを特徴とする請求項１記載の二重壁容器。
【請求項３】
内壁部の底部と胴部との境界部には中空部側へ環状に突出する凹溝が介在されていることを特徴とする請求項１または２記載の二重壁容器。
【請求項４】
反転前の内壁部の胴部が外方に湾曲していることを特徴とする請求項１、２または３記載の二重壁容器。
【発明の詳細な説明】
【０００１】
【発明の属する技術分野】
本発明は、ブロー成形により一体に形成された内壁部を外壁部の内側に反転させることにより得られる二重壁容器に関するものである。
【０００２】
【従来の技術】
従来、ブロー成形製の二重壁容器は公知であり、特開昭５８−３０９６９号公報はブロー成形後に内壁部を反転させて形成される冷菓用二重壁容器を、また、特開昭５７−２０３３０号公報は、バキューム方法を用いることにより内壁部を反転させる二重壁容器を開示している。
【０００３】
【発明が解決しようとする課題】
ところで、この種の二重壁容器は、その内壁部を外壁部内に押し込んで反転させて構成するものであるから、その内壁を反転させるにあたって変形や歪あるいはシワ・白化等の発生をともなわないことが肝要である。
【０００４】
そこで、本発明は、その要請に応えるべく、内壁部を反転させるために好適な樹脂のブレンドおよび形状をとることにより、容器としての剛性を維持しつつ反転が良好に行なわれ、しわ・白化等の発生がない二重壁容器を提供することを目的とするものである。
【０００５】
【課題を解決するための手段】
本発明は、上記目的を達成するため、請求項１ないし４に記載した二重壁容器を提供する。すなわち、請求項１に係る二重壁容器は、ブロー成形により一体に形成された内壁部を外壁部の内側に反転させることにより得られる二重壁容器であって、一端に開口部を有し、他端に胴部と一体に連なった底部を有しており、胴部および底部は外壁部と内壁部からなっていて外壁部と内壁部との間には中空部を有し、外壁部の底部には中空部と連通する連通口が形成されており、引張弾性率が４０００Ｋｇ／ｃｍ２以上の硬質のポリオレフィン系樹脂に密度が０．９４０ｇ／ｃｍ３未満の軟質のポリオレフィン系樹脂を２〜５０ｗｔ％添加した樹脂をブロー成形することにより形成したことを特徴とするものである。
【０００６】
請求項２に係る二重壁容器は、請求項１記載の二重壁容器において、硬質のポリオレフィン系樹脂が高密度ポリエチレン、ポリプロピレン、プロピレンブロック共重合体からなる群より選ばれる少なくとも一種の熱可塑性樹脂であり、軟質のポリオレフィン系樹脂が低密度ポリエチレン、直鎖状低密度ポリエチレン、超低密度ポリエチレン、直鎖状超低密度ポリエチレン、ポリオレフィン系エラストマーからなる群より選ばれる少なくとも一種の熱可塑性樹脂であることを特徴とするものである。
【０００７】
請求項３に係る二重壁容器は、請求項１または２記載の二重壁容器において、内壁部の底部と胴部との境界部には中空部側へ環状に突出する凹溝が介在されていることを特徴とするものである。
【０００８】
請求項４に係る二重壁容器は、請求項１、２または３記載の二重壁容器において、反転前の内壁部の胴部が外方に湾曲していることを特徴とするものである。
【０００９】
【発明の実施の形態】
図１および図２面は本発明の一実施の形態を示し、図１は内壁部を外壁部内に反転する前の状態の正面図、図２は内壁部を外壁部内に反転させた後の状態の断面図である。また図３および図４は本発明の他の実施の形態を示し、図３は内壁部を外壁部内に反転する前の状態の正面図、図４は内壁部を外壁部内に反転させた後の状態の断面図である。
【００１０】
図１および図２において、１は外壁部、２は内壁部であって、この外壁部１および内壁部２は、ブロー成形により一体に成形されたものである。外壁部１と内壁部２は、連接部３を介して連続しており、外壁部１は略円筒状、内壁部２は連接部３から先端側に順に縮径状となるように形成されている。連接部３は、図２に示すように、外壁部１内に内壁部２を反転させた状態の二重壁容器４において、その開口端を形成する部分となるように、反転前の状態で環状の段部をなしているものである。
【００１１】
内壁部２を外壁部１内に反転させた二重壁容器４は、外壁部１と内壁部２との間に中空部５を形成しているものである。二重壁容器４において６は胴部、７は開口部、８は底部である。底部８には内壁部２の反転時の空気抜きのため中空部５に通じる連通口９を設けてある。内壁部２の反転にあたっては、反転前の内壁部の胴部が外方に湾曲しており、外壁部１との連接部３が環状の段部をなしていてその部分から的確に反転がなされるので、内壁部２を外壁部１内に良好に反転させることができる。
【００１２】
図３および図４に示すものは、内壁部２の底部と胴部との境界部に環状凹溝１０を形成しているほか、図１および図２に示したものと同構成である。図４に示すように、この実施の形態によれば、内壁部２の底部と胴部との境界部に環状凹溝が形成されているので、内壁部２の底部と胴部との境界部が補強され、その外壁部１内への反転時に内壁部２は環状凹溝１０の端部より均等に反転が開始され、容易に反転が可能であり、良好な状態で反転させることができる。そして、二重壁容器４が構成されると、その内壁の底部が補強されたものとなるので、二重壁容器４の強度も図１および図２に示すものより大となる。
【００１３】
外壁部１および内壁部２は、引張弾性率が４０００Ｋｇ／ｃｍ２以上の硬質のポリオレフィン系樹脂に密度が０．９４０ｇ／ｃｍ３未満の軟質のポリオレフィン系樹脂を２〜５０ｗｔ％添加した樹脂をブロー成形することにより形成される。そして、硬質のポリオレフィン系樹脂が高密度ポリエチレン、ポリプロピレン、プロピレンブロック共重合体からなる群より選ばれる少なくとも一種の熱可塑性樹脂であり、軟質のポリオレフィン系樹脂が低密度ポリエチレン、直鎖状低密度ポリエチレン、超低密度ポリエチレン、直鎖状超低密度ポリエチレン、ポリオレフィン系エラストマーからなる群より選ばれる少なくとも一種の熱可塑性樹脂である。
【００１４】
高密度ポリエチレンに低密度ポリエチレン５０ｗｔ％を添加してブロー成形を行い、外壁部１と内壁部２が連接部３を介して互いに対向した形状からなる反転前の二重壁容器４の全体を形成した。内壁部２の胴部は外方に湾曲しており、さらに内壁部２の底部と胴部との境界部には中空部側へ環状に環状凹溝１０が設けられている。ここで、内壁部２の底部を外壁部１内に押し込むと環状凹溝１０の端部より均等に反転が開始され、外壁部１内壁部２との間に中空部５を有するカップ状の二重壁容器４を形成することができた。
【００１５】
【発明の効果】
本発明によれば、ブロー成形により一体に形成された内壁部を外壁部の内側に反転させることにより得られる二重壁容器であって、一端に開口部を有し、他端に胴部と一体に連なった底部を有しており、胴部および底部は外壁部と内壁部からなっていて外壁部と内壁部との間には中空部を有し、外壁部の底部には中空部と連通する連通口が形成されており、引張弾性率が４０００Ｋｇ／ｃｍ２以上の硬質のポリオレフィン系樹脂に密度が０．９４０ｇ／ｃｍ３未満の軟質のポリオレフィン系樹脂を２〜５０ｗｔ％添加した樹脂をブロー成形することにより形成したことにより、容器としての剛性を維持しつつ反転が良好に行なわれ、しわ・白化等の発生がない二重壁容器を提供することができる。
【図面の簡単な説明】
【図１】本発明の一実施の形態を示し、内壁部を外壁部内に反転する前の状態の正面図である。
【図２】同上内壁部を外壁部内に反転させた後の状態の断面図である。
【図３】本発明の他の実施の形態を示し、内壁部を外壁部内に反転する前の状態の正面図である。
【図４】同上内壁部を外壁部内に反転させた後の状態の断面図である。
【符号の説明】
１　外壁部
２　内壁部
３　連接部
４　二重壁容器
５　中空部
６　胴部
７　開口部
８　底部
９　連通口
１０　環状凹溝
【図１】
2004123146.tif 000003
【図２】
2004123146.tif 000004
【図３】
2004123146.tif 000005
【図４】
2004123146.tif 000006